(57)【要約】【課題】不要なゲート部が除去されるときに従来と比較して工数を減少することができる射出成形品を提供すること。【解決手段】飾り板２００は、金型に形成されたゲートの内部で固化されたゲート部２１０と、溝部２２１とを備え、溝部２２１は、溝２２１ａと、溝２２１ａが開口した開口面２２１ｂとが形成され、ゲート部２１０は、溝２２１ａの内部で溝部２２１に連結して開口面２２１ｂに対して溝２２１ａ側とは反対側に突出するようにする。【選択図】      図５
2004160663.tif 000002
【特許請求の範囲】
【請求項１】
金型に形成されたゲートの内部で固化されたゲート部と、溝及び前記溝が開口した開口面が形成された溝部とを備え、
前記ゲート部は、前記溝の内部で前記溝部に連結して前記開口面に対して前記溝側とは反対側に突出したことを特徴とする射出成形品。
【請求項２】
前記ゲート部は、前記溝部の前記開口面に対して前記溝側に少なくとも一部が配置された凸部を有したことを特徴とする請求項１に記載の射出成形品。
【請求項３】
前記ゲート部は、前記溝部の前記開口面に対して前記溝側に少なくとも一部が配置された凹部を有したことを特徴とする請求項１に記載の射出成形品。
【請求項４】
前記ゲート部の一部が除去されて前記ゲート部の残部の全てが前記溝部の前記開口面に対して前記溝側に配置された請求項１から請求項３までの何れかに記載の射出成形品と、前記射出成形品に前記開口面で係合する係合部とを備えたことを特徴とする電子機器。
【発明の詳細な説明】
【０００１】
【発明の属する技術分野】
本発明は、射出成形によって製造される射出成形品に関する。
【０００２】
【従来の技術】
従来、射出成形によって製造される射出成形品であるプラスティック部品として、金型に形成されたゲートの内部で固化されたゲート部を備え、ゲート部の一部が切断によって除去された後、更にゲート部の残部を除去する仕上げ加工が行われる図１１及び図１２に示すようなプラスティック部品９００が知られている（例えば、特許文献１参照。）。
【０００３】
プラスティック部品９００は、図示していない金型に形成された図示していないゲートの内部で固化されたゲート部９１０と、金型に形成された図示していないキャビティの内部で固化されたキャビティ部９２０とを備えている。
【０００４】
なお、プラスティック部品９００は、ゲート部９１０が除去されることによって、ゲート部９１０が連結されているキャビティ部９２０の面９２１で図示していない他の部材に係合するようになっている。
【０００５】
そして、プラスティック部品９００は、ゲート部９１０の一部が切断によって除去された後、更にゲート部９１０の残部を除去する仕上げ加工が行われることによって、ゲート部９１０が除去されて面９２１が略平面状にされる。
【０００６】
【特許文献１】
特開平８−１９７５６４号公報（第３頁、第９図）
【０００７】
【発明が解決しようとする課題】
しかしながら、上記従来のプラスティック部品９００においては、不要なゲート部９１０が除去されるときに、ゲート部９１０の残部を除去する仕上げ加工の工程が必要であるという問題が有った。
【０００８】
そこで、本発明は、不要なゲート部が除去されるときに従来と比較して工数を減少することができる射出成形品を提供することを目的とする。
【０００９】
【課題を解決するための手段】
上記課題を解決するために、本発明の射出成形品は、金型に形成されたゲートの内部で固化されたゲート部と、溝及び前記溝が開口した開口面が形成された溝部とを備え、前記ゲート部は、前記溝の内部で前記溝部に連結して前記開口面に対して前記溝側とは反対側に突出した構成を有している。
【００１０】
この構成により、本発明の射出成形品は、ゲート部の残部の全てが溝部の開口面に対して溝側に配置されるようにゲート部の一部だけが除去されることによって、不要なゲート部が除去されるので、不要なゲート部が除去されるときに従来と比較して工数を減少することができる。
【００１１】
また、本発明の射出成形品は、前記ゲート部は、前記溝部の前記開口面に対して前記溝側に少なくとも一部が配置された凸部を有した構成を有している。
【００１２】
この構成により、本発明の射出成形品は、ゲート部の一部が工具で除去されるときに凸部が基準にされることができるので、凸部を有していない場合と比較して、ゲート部の一部が除去されるときにゲート部の残部の全てが容易に溝部の開口面に対して溝側に配置されることができる。
【００１３】
また、本発明の射出成形品は、前記ゲート部は、前記溝部の前記開口面に対して前記溝側に少なくとも一部が配置された凹部を有した構成を有している。
【００１４】
この構成により、本発明の射出成形品は、ゲート部の一部が工具で除去されるときに凹部が基準にされることができるので、凹部を有していない場合と比較して、ゲート部の一部が除去されるときにゲート部の残部の全てが容易に溝部の開口面に対して溝側に配置されることができる。
【００１５】
また、本発明の電子機器は、前記ゲート部の一部が除去されて前記ゲート部の残部の全てが前記溝部の前記開口面に対して前記溝側に配置された請求項１から請求項３までの何れかに記載の射出成形品と、前記射出成形品に前記開口面で係合する係合部とを備えた構成を有している。
【００１６】
この構成により、本発明の電子機器は、射出成形品が従来と比較して少ない工数で製造されることができるので、従来と比較して少ない工数で製造されることができる。
【００１７】
【発明の実施の形態】
以下、本発明の一実施の形態について、図面を用いて説明する。
【００１８】
まず、本実施の形態に係る射出成形品及び電子機器の構成について説明する。
【００１９】
図１から図３までに示すように、本実施の形態に係る電子機器としてのコードレス電話機１００は、ケース１１０及びケース１２０と、ケース１１０及びケース１２０に挟持された本実施の形態に係る射出成形品としての飾り板２００と、ケース１１０及びケース１２０に収納された図示していない複数の電子部品と、図示していない受話器及び送話器と、様々な情報を表示する図示していないＬＣＤ（Ｌｉｑｕｉｄ  Ｃｒｙｓｔａｌ  Ｄｉｓｐｌａｙ）ユニットとを備えている。
【００２０】
ここで、飾り板２００は、ケース１２０と一体であるかのように利用者に感じさせることができる程度に薄型に、ケース１２０と異なる色の半透明なプラスティック又は透明なプラスティックで形成されている。
【００２１】
なお、飾り板２００は、射出成形によって製造された直後、図４及び図５に示すように、図示していない金型に形成された図示していないゲートの内部で固化されたゲート部２１０と、金型に形成された図示していないキャビティの内部で固化されたキャビティ部２２０とを備えている。
【００２２】
ここで、キャビティ部２２０は、溝２２１ａと、溝２２１ａが開口した開口面２２１ｂと、溝２２１ａの底面２２１ｃとが形成された溝部２２１を有している。
【００２３】
また、ゲート部２１０は、溝部２２１の溝２２１ａの内部でキャビティ部２２０に連結しており、開口面２２１ｂに対して溝２２１ａ側とは反対側に突出している。また、ゲート部２１０は、溝部２２１の開口面２２１ｂに対して溝２２１ａ側、即ち、底面２２１ｃ側に少なくとも一部が配置された凸部２１１を有している。
【００２４】
なお、ゲート部２１０及びキャビティ部２２０が連結している側の凸部２１１の面２１１ａと、溝部２２１の底面２２１ｃとは、略同一平面上に配置されている。
【００２５】
そして、飾り板２００は、ケース１１０及びケース１２０に挟持される前、図６及び図７に示すように、ゲート部２１０の一部が除去されてゲート部２１０の残部２１２の全てが溝部２２１の開口面２２１ｂに対して溝２２１ａ側、しかも溝２２１ａの内部に配置されている。
【００２６】
また、飾り板２００は、図３に示すように、溝部２２１の開口面２２１ｂで係合部としてのケース１１０に係合するようになっている。
【００２７】
なお、溝２２１ａは、ゲート部２１０の一部が除去されるときに工具が挿入可能であり、ゲート部２１０の一部の除去に加工誤差が生じても残部２１２が内部に配置されるように、寸法が設定されている。
【００２８】
次に、本実施の形態に係る射出成形品の不要なゲート部の除去について説明する。
【００２９】
図４及び図５に示す状態である飾り板２００は、図８に示すように、ゲート部２１０及びキャビティ部２２０が連結している側の凸部２１１の際でゲート部２１０にニッパー３００の一方の歯３０１が当てられ、凸部２１１が突出している側とは反対側でゲート部２１０にニッパー３００の他方の歯３０２が当てられた後、ゲート部２１０の一部がニッパー３００によって切断されて除去されて、図６及び図７に示すように、ゲート部２１０の残部２１２の全てが溝２２１ａの内部に配置されるようになる。
【００３０】
以上に説明したように、飾り板２００は、ゲート部２１０の残部２１２の全てが溝２２１ａの内部に配置されるようにゲート部２１０の一部だけが除去されることによって、不要なゲート部が除去されるので、不要なゲート部が除去されるときに従来と比較して工数を減少することができる。
【００３１】
換言すると、図６及び図７に示す飾り板２００は、ゲート部２１０の残部２１２の全てが溝２２１ａの内部に配置されるようにゲート部２１０の一部だけが除去されることによって製造されることができるので、従来と比較して少ない工数で製造されることができる。
【００３２】
また、飾り板２００は、不要なゲート部が除去されるときに従来と比較して工数を減少することができるので、従来と比較して不要なゲート部が除去されるときの費用を減少することができる。
【００３３】
また、飾り板２００は、従来のような仕上げ加工の工程が不要であり、仕上げ加工に使用される専用の機械及び治具が不要であるので、従来と比較して不要なゲート部が除去されるときの費用を減少することができる。
【００３４】
また、飾り板２００は、ゲート部２１０の残部２１２の全てが溝部２２１の開口面２２１ｂに対して溝２２１ａ側に配置されていれば良いので、不要なゲート部が除去された後の加工の検査を従来と比較して容易化することができる。
【００３５】
また、飾り板２００は、ゲート部２１０の一部がニッパー３００で除去されるときに凸部２１１が基準にされることができるので、凸部２１１を有していない図９に示すような場合と比較して、ゲート部２１０の一部が除去されるときにゲート部２１０の残部２１２の全てが容易に溝２２１ａの内部に配置されることができる。
【００３６】
なお、ゲート部２１０は、本実施の形態において、凸部２１１を有していたが、本発明によれば、凸部２１１に代えて図１０に示すように凹部２１３を有していても良いし、図９に示すように凸部や凹部を有していなくても良い。
【００３７】
ゲート部２１０が図１０に示すように凹部２１３を有している場合、ゲート部２１０が図５に示すように凸部２１１を有している場合と同様に、飾り板２００は、ゲート部２１０の一部がニッパー３００で除去されるときに凹部２１３が基準にされることができるので、凹部２１３を有していない図９に示すような場合と比較して、ゲート部２１０の一部が除去されるときにゲート部２１０の残部２１２の全てが容易に溝２２１ａの内部に配置されることができる。
【００３８】
また、コードレス電話機１００は、飾り板２００が従来と比較して少ない工数及び費用で製造されることができるので、従来と比較して少ない工数及び費用で製造されることができる。
【００３９】
なお、本実施の形態において、不要なゲート部を除去する工具としてニッパー３００が使用されていたが、本発明によれば、ニッパー３００以外の工具で不要なゲート部を除去しても良い。
【００４０】
また、飾り板２００は、本実施の形態において、ゲート部２１０の一部が除去されてゲート部２１０の残部２１２の全てが溝２２１ａの内部に配置されていたが、本発明によれば、ゲート部２１０の一部が除去されてゲート部２１０の残部２１２の全てが溝部２２１の開口面２２１ｂに対して溝２２１ａ側に配置されているだけでも良い。
【００４１】
【発明の効果】
以上に説明したように、本発明によれば、不要なゲート部が除去されるときに従来と比較して工数を減少することができる射出成形品を提供することができる。
【図面の簡単な説明】
【図１】本発明の一実施の形態に係るコードレス電話機の外観斜視図
【図２】飾り板の近傍の図１に示すコードレス電話機の背面斜視図
【図３】図１に示すコードレス電話機の側面断面図
【図４】不要なゲート部を除去する前の図１に示すコードレス電話機の飾り板の斜視図
【図５】ゲート部の近傍の図４に示す飾り板の斜視図
【図６】不要なゲート部を除去した後の図４に示す飾り板の斜視図
【図７】ゲート部の近傍の図６に示す飾り板の斜視図
【図８】不要なゲート部を除去しているときの図４に示す飾り板の斜視図
【図９】図５に示す例とは異なる例での不要なゲート部を除去する前のゲート部の近傍の図１に示すコードレス電話機の飾り板の斜視図
【図１０】図５及び図９に示す例とは異なる例での不要なゲート部を除去する前のゲート部の近傍の図１に示すコードレス電話機の飾り板の斜視図
【図１１】不要なゲート部を除去する前の従来のプラスティック部品の斜視図
【図１２】ゲート部の近傍の図１１に示すプラスティック部品の斜視図
【符号の説明】
１００      コードレス電話機（電子機器）
１１０      ケース（係合部）
２００      飾り板（射出成形品）
２１０      ゲート部
２１１      凸部
２１２      残部
２１３      凹部
２２１      溝部
２２１ａ      溝
２２１ｂ      開口面
【図１】
2004160663.tif 000003
【図２】
2004160663.tif 000004
【図３】
2004160663.tif 000005
【図４】
2004160663.tif 000006
【図５】
2004160663.tif 000007
【図６】
2004160663.tif 000008
【図７】
2004160663.tif 000009
【図８】
2004160663.tif 000010
【図９】
2004160663.tif 000011
【図１０】
2004160663.tif 000012
【図１１】
2004160663.tif 000013
【図１２】
2004160663.tif 000014